(57)【要約】【課題】  煩雑なボタン操作や機能の管理番号の記憶を行うことなく、従来よりも少ないボタン操作で所望の機能を起動可能な携帯情報端末装置を提供する。【解決手段】  制御部１１は折り畳み型携帯情報端末装置本体の各形態毎の機能選択動作を各形態での機能履歴として機能履歴記憶部１６に記憶しておく。制御部１１は開閉検出部（Ａ）１２、開閉検出部（Ｂ）１３、回転検出部１４各々の検出結果から折り畳み型携帯情報端末装置本体の各形態を判定し、その判定結果に基づいて機能履歴記憶部１６から機能履歴を読出し、読出した機能履歴を基に各形態毎にサイドキーに割り当てた機能を選択して起動する。制御部１１は機能履歴記憶部１６から読出した機能履歴を、ＬＣＤ部１７に表示可能であれば、サイドキーにどの機能が割り当てられているかをＬＣＤ部１７に表示する。【選択図】      図１
2006279627.tif 000002
【特許請求の範囲】
【請求項１】
少なくとも開閉自在な部材を含む携帯情報端末装置であって、
開閉による前記部材の各形態を検出する検出手段と、前記検出手段で検出される各形態で使用した機能の履歴を記憶する記憶手段と、前記記憶手段に記憶した前記機能の履歴をメニューとして表示する表示手段と、前記機能が割り付けられるキー部材と、前記検出手段で検出された前記部材の形態に対応する前記機能履歴を前記記憶手段から読出して前記表示手段に表示しかつその表示に基づいて前記キー部材が押下された時にそのキー部材に割り付けられた機能を起動する制御手段とを有することを特徴とする携帯情報端末装置。
【請求項２】
前記部材を回転自在に構成し、
前記部材が開いた状態での回転を検出する回転検出手段を含み、
前記制御手段は、前記検出手段及び前記回転検出手段各々の検出結果に基づいて前記キー部材に割り付けられた機能を起動することを特徴とする請求項１記載の携帯情報端末装置。
【請求項３】
前記回転検出手段は、前記部材が開いた状態で少なくとも９０°及び１８０°のいずれかの回転を検出することを特徴とする請求項２記載の携帯情報端末装置。
【請求項４】
前記記憶手段に記憶する前記機能の履歴の使用の有無を外部指示に応じて設定自在としたことを特徴とする請求項１から請求項３のいずれか記載の携帯情報端末装置。
【請求項５】
前記制御手段は、前記機能の履歴を当該機能に関連する機能ブロックを前記メニューとして前記表示手段に表示することを特徴とする請求項１から請求項４のいずれか記載の携帯情報端末装置。
【請求項６】
前記制御手段は、前記メニューの前記表示手段への表示において、前記機能の履歴を使用頻度順に表示させることを特徴とする請求項１から請求項５のいずれか記載の携帯情報端末装置。
【請求項７】
前記検出手段及び前記回転検出手段各々のうちのいずれかにて前記部材の形態の変化が検出された時に起動されるタイマ手段を含み、
前記制御手段は、前記タイマ手段がタイムアウトを検出した時に前記使用頻度が最も高い機能を起動することを特徴とする請求項６記載の携帯情報端末装置。
【請求項８】
前記キー部材は、少なくとも筐体の側面に設けたサイドキーと、前記筐体の操作面に設けた操作キーと、前記筐体の前記表示手段と同一面に設けた特定キーとのうちのいずれかであることを特徴とする請求項１から請求項７のいずれか記載の携帯情報端末装置。
【請求項９】
前記表示手段は、ＬＣＤ（Ｌｉｑｕｉｄ  Ｃｒｙｓｔａｌ  Ｄｉｓｐｌａｙ）であることを特徴とする請求項１から請求項８のいずれか記載の携帯情報端末装置。
【請求項１０】
少なくとも折り畳み型の携帯電話機、スライド型の携帯電話機、フラップ型の携帯電話機、ＰＤＡ（Ｐｅｒｓｏｎａｌ  Ｄｉｇｉｔａｌ  ａｓｓｉｓｔａｎｔ）、モバイル型のパーソナルコンピュータのいずれかであることを特徴とする請求項１から請求項９のいずれか記載の携帯情報端末装置。
【請求項１１】
少なくとも開閉自在な部材を含む携帯情報端末装置に用いる機能選択起動方法であって、前記携帯情報端末装置が、開閉による前記部材の各形態を検出する検出処理と、その検出される各形態で使用した機能の履歴を記憶手段に記憶する処理と、前記記憶手段に記憶した前記機能の履歴をメニューとして表示手段に表示する処理と、前記検出処理で検出された前記部材の形態に対応する前記機能履歴を前記記憶手段から読出して前記表示手段に表示しかつその表示に基づいて前記機能が割り付けられるキー部材が押下された時にそのキー部材に割り付けられた機能を起動する処理とを行うことを特徴とする機能選択起動方法。
【請求項１２】
前記部材を回転自在に構成し、
前記携帯情報端末装置が、前記部材が開いた状態での回転を検出する回転検出処理を行い、前記検出処理及び前記回転検出処理各々の検出結果に基づいて前記キー部材に割り付けられた機能を起動することを特徴とする請求項１１記載の機能選択起動方法。
【請求項１３】
前記回転検出処理にて、前記部材が開いた状態で少なくとも９０°及び１８０°のいずれかの回転を検出することを特徴とする請求項１２記載の機能選択起動方法。
【請求項１４】
前記記憶手段に記憶する前記機能の履歴の使用の有無を外部指示に応じて設定自在としたことを特徴とする請求項１１から請求項１３のいずれか記載の機能選択起動方法。
【請求項１５】
前記携帯情報端末装置が、前記機能の履歴を当該機能に関連する機能ブロックを前記メニューとして前記表示手段に表示することを特徴とする請求項１１から請求項１４のいずれか記載の機能選択起動方法。
【請求項１６】
前記携帯情報端末装置が、前記メニューの前記表示手段への表示において、前記機能の履歴を使用頻度順に表示させることを特徴とする請求項１１から請求項１５のいずれか記載の機能選択起動方法。
【請求項１７】
前記携帯情報端末装置が、前記検出処理及び前記回転検出処理各々のうちのいずれかにて前記部材の形態の変化が検出された時にタイマ手段を起動し、前記タイマ手段がタイムアウトを検出した時に前記使用頻度が最も高い機能を起動することを特徴とする請求項１６記載の機能選択起動方法。
【請求項１８】
前記キー部材は、少なくとも筐体の側面に設けたサイドキーと、前記筐体の操作面に設けた操作キーと、前記筐体の前記表示手段と同一面に設けた特定キーとのうちのいずれかであることを特徴とする請求項１１から請求項１７のいずれか記載の機能選択起動方法。
【請求項１９】
前記表示手段は、ＬＣＤ（Ｌｉｑｕｉｄ  Ｃｒｙｓｔａｌ  Ｄｉｓｐｌａｙ）であることを特徴とする請求項１１から請求項１８のいずれか記載の機能選択起動方法。
【請求項２０】
前記携帯情報端末装置が、少なくとも折り畳み型の携帯電話機、スライド型の携帯電話機、フラップ型の携帯電話機、ＰＤＡ（Ｐｅｒｓｏｎａｌ  Ｄｉｇｉｔａｌ  ａｓｓｉｓｔａｎｔ）、モバイル型のパーソナルコンピュータのいずれかであることを特徴とする請求項１１から請求項１９のいずれか記載の機能選択起動方法。
【発明の詳細な説明】
【技術分野】
【０００１】
本発明は携帯情報端末装置及びそれに用いる機能選択起動方法に関し、特に携帯情報端末装置に備えた機能を選択して起動する方法に関する。
【背景技術】
【０００２】
昨今の携帯情報端末装置においては、基本機能である電話機能やメール機能に加え、ＴＶ（テレビジョン）電話機能やカメラ機能、インタネット機能、さらにＴＶの受信やＦＭ（Ｆｒｅｑｕｅｎｃｙ  Ｍｏｄｕｌａｔｉｏｎ）ラジオの受信と非常に多岐に渡る機能を有している。
【０００３】
しかしながら、その筐体としては、取り扱いの利便性から小型化が図られ、操作キーの数も制限されている。そのため、一般に、まずメニュー画面から関連機能のブロックを選択し、さらに該当の機能を選択する構成となっており、メニューがかなりの階層構造をとり、所望の機能を選択するのに何回もキー操作を行う必要があるため、操作が煩雑であるとともに、時間を要するという問題がある。
【０００４】
また、各機能の選択は、一般に、管理番号が割り付けられ、メニューキー押下後、直接管理番号を入力可能とはなっているが、上述したように、多種多様な機能を有しているため、頻繁に使用する機能以外は記憶しておくことが困難であり、結局、階層構造のメニューから辿って行く必要がある。
【０００５】
さらに、通話に関しては、発信・着信の履歴を表示して容易に発呼可能な機能がごく一般的な機能としてほとんどの端末で有する機能となっている。しかしながら、近年では単なる電話としての使用頻度が低下しており、その他の多機能な項目の中から目的の機能・操作をいかに容易に選択して起動することがきるかという課題がある。
【０００６】
そこで、操作を簡単化する方法としては、操作した機能履歴をその使用回数によって並べ替えかつ記憶し、その記憶した機能履歴を専用キーで呼び出し、所望の機能を上下キーによってスクロールすることで選択し、確定キーを押下して確定するもの方法がある（例えば、特許文献１参照）。
【０００７】
しかしながら、この機能履歴を使用する場合には、履歴呼び出しボタン、上下キーでの選択及び確定キー押下と、複数回のキー操作が必要であり、初回時よりは少ないボタン操作で機能を選択することができるが、まだ複数回の操作が必要であり、また回数によって重み付けを行っているので、一回だけ使用した機能を呼び出す場合には、下キーでのスクロールに複数回のキー押下が必要となり、やはり不便である。
【０００８】
また、他の方法としては、上記の方法と同様に、機能設定の操作履歴をメモリに記憶し、操作履歴の呼び出しキーを押下することで、最新の３つの操作を順に表示する方法がある（例えば、特許文献２参照）。
【０００９】
この方法の場合には、例えば着信音量設定を操作すると、呼び出し時も着信音量設定のみとなり、着信メロディ設定等の関連する機能群を呼び出すことができないという問題がある。
【００１０】
さらに、別の方法としては、選択時記憶か、実行時記憶かの判定を加え、機能選択に重み付けを行い、選択された全てを記憶しないよう工夫した方法がある（例えば、特許文献３参照）。この方法の場合、同一機能群に含まれる機能は容易に選択可能なように構成されている。具体的には上下スクロールで直接の機能履歴を選択し、左右キーで同一機能群の機能を呼び出すことができるようにしている。
【００１１】
この方法の場合には、現在の携帯電話機の機能として、ユーザが任意に設定できる文字の入力やインタネットへのアクセス等、操作を誘導するのみでは実現できない機能が多数存在し、また最新の携帯電話機の機能及び構成が複雑な遷移になり、１つの設定を変更したり、所望の機能を起動させるために多くのキー操作をしなければならないという課題がある。
【００１２】
そこで、上記の問題を解決する方法としては、キー操作を学習することによって、ユーザが任意に入力した値を忠実に再現可能な携帯電話が提案されている（例えば、特許文献４参照）。この方法の場合には、メール作成の途中までを学習履歴として登録することで、宛先入力とタイトル入力までのメールを作成することができる。
【００１３】
また、他の解決方法としては、ソフトキーに固定的に割り付けられた機能と起動回数をカウントした上位機能とを１つのキーに割り付け、ソフトキーを押下した場合、タイマを起動させ、一定時間内に二回押下された場合に起動回数で設定された機能・アプリを起動し、一回押下では一定時間が経過した場合に固定に割り付けられた機能が起動する方法がある（例えば、特許文献５参照）。
【００１４】
【特許文献１】特開２０００−２６１５４４号公報
【特許文献２】特開２００１−１２７８６７号公報
【特許文献３】特開２００２−１０１１７９号公報
【特許文献４】特開２００３−２４４３０６号公報
【特許文献５】特開２００３−１０１６２９号公報
【発明の開示】
【発明が解決しようとする課題】
【００１５】
しかしながら、上述した従来の機能選択起動方法では、近年、様々な形態に変化し、多種多様な機能を有しているが、その各形態における機能履歴の有効活用に言及されておらず、その配慮もさなれていない。
【００１６】
また、従来の機能選択起動方法では、例えば携帯電話機を例にした場合、折り畳み型で２軸ヒンジの構造をもつ端末や、スライド、回転構造を有する端末も多種存在し、その形態によってよく使用する機能が限定されてくることが予測されているが、それら形態別の使用機能を履歴管理することや、その形態で使用した機能を容易に再度起動することの配慮もさなれていない。
【００１７】
そこで、本発明の目的は上記の問題点を解消し、煩雑なボタン操作や機能の管理番号の記憶を行うことなく、従来よりも少ないボタン操作で所望の機能を起動させることができる携帯情報端末装置及びそれに用いる機能選択起動方法を提供することにある。
【課題を解決するための手段】
【００１８】
本発明による携帯情報端末装置は、少なくとも開閉自在な部材を含む携帯情報端末装置であって、
開閉による前記部材の各形態を検出する検出手段と、前記検出手段で検出される各形態で使用した機能の履歴を記憶する記憶手段と、前記記憶手段に記憶した前記機能の履歴をメニューとして表示する表示手段と、前記機能が割り付けられるキー部材と、前記検出手段で検出された前記部材の形態に対応する前記機能履歴を前記記憶手段から読出して前記表示手段に表示しかつその表示に基づいて前記キー部材が押下された時にそのキー部材に割り付けられた機能を起動する制御手段とを備えている。
【００１９】
本発明による機能選択起動方法は、少なくとも開閉自在な部材を含む携帯情報端末装置に用いる機能選択起動方法であって、前記携帯情報端末装置が、開閉による前記部材の各形態を検出する検出処理と、その検出される各形態で使用した機能の履歴を記憶手段に記憶する処理と、前記記憶手段に記憶した前記機能の履歴をメニューとして表示手段に表示する処理と、前記検出処理で検出された前記部材の形態に対応する前記機能履歴を前記記憶手段から読出して前記表示手段に表示しかつその表示に基づいて前記機能が割り付けられるキー部材が押下された時にそのキー部材に割り付けられた機能を起動する処理とを行っている。
【００２０】
すなわち、本発明の携帯情報端末装置は、折り畳み型の装置において、その開閉や二軸ヒンジの回転による装置の各形態を検出する手段と、検出された各形態で使用した機能履歴を記憶する手段と、その記憶した機能履歴をメニューとしてＬＣＤ（Ｌｉｑｕｉｄ  Ｃｒｙｓｔａｌ  Ｄｉｓｐｌａｙ）に表示する手段と、サイドキーに該当する機能履歴を割り付ける制御手段とを持ち、各形態となったことを検出した場合、その形態で使用した機能履歴をサイドキーに割り付け、ＬＣＤに表示された該当の機能履歴を選択することによって、一回もしくは最小限のボタン操作で即座に所望の機能を選択して起動可能とすることを特徴とする。
【００２１】
上記のように、本発明の携帯情報端末装置では、各形態に応じて使用した最新の機能選択操作を機能履歴として記憶し、機能履歴メニューとしてＬＣＤに表示し、かつ対応した機能がサイドキーに割り付けられるので、各形態で一度使用した機能がサイドキーにて選択するだけ、つまり一回のボタン操作で、所望の機能を起動させることが可能となる。
【００２２】
よって、本発明の携帯情報端末装置では、階層構造のメニューを順に選択していく煩雑なボタン操作を不要とし、もしくは機能の管理番号を記憶しておく必要もなく、各形態で最後に使用した機能から順に容易に呼び出すことが可能となり、各形態で過去に使用した機能（例えば、３つまでの機能）を、対応するサイドキーを一回押下するだけで、所望の機能を瞬時に起動することが可能となる。
【発明の効果】
【００２３】
本発明は、以下に述べるような構成及び動作とすることで、煩雑なボタン操作や機能の管理番号の記憶を行うことなく、従来よりも少ないボタン操作で所望の機能を起動させることができるという効果が得られる。
【発明を実施するための最良の形態】
【００２４】
次に、本発明の実施例について図面を参照して説明する。図１は本発明の一実施例による折り畳み型の携帯情報端末装置の構成を示すブロック図である。図１において、折り畳み型の携帯情報端末装置１は制御部１１と、開閉検出部（Ａ）１２と、開閉検出部（Ｂ）１３と、回転検出部１４と、操作部１５と、機能履歴記憶部１６と、ＬＣＤ（Ｌｉｑｕｉｄ  Ｃｒｙｓｔａｌ  Ｄｉｓｐｌａｙ）部１７と、ソフトキー管理部１８と、アプリ部１９とから構成されている。尚、図１においては、本実施例の説明に直接関係しない無線部や電源部等の図示及びその説明を省略している。
【００２５】
図２〜図５は本発明の一実施例による折り畳み型の携帯情報端末装置１の各形態を示す斜視図である。これら図１〜図５を参照して本発明の一実施例による折り畳み型の携帯情報端末装置１について説明する。
【００２６】
制御部１１は折り畳み型の携帯情報端末装置１全体の制御を司り、開閉検出部（Ａ）１２はレシーバ側筐体２０ａがマイク側筐体２０ｂからヒンジ部２３にて通常に開いた、もしくは閉じた事象を検出し、開閉検出部（Ｂ）１３はレシーバ側筐体２０ａを１８０°回転させた状態で開いた、もしくは閉じた事象を検出し、回転検出部１４はレシーバ側筐体２０ａの回転状態０°もしくは１８０°を検出する。
【００２７】
操作部１５は各種のボタン操作を行い、機能履歴記憶部１６は各形態毎の使用した機能履歴を記憶する。ＬＣＤ部１７は機能履歴メニュー２４や通常の画面表示を行い、ソフトキー管理部１８はサイドキー２１に割り付ける機能やＬＣＤに表示する機能履歴メニュー２４を管理し、アプリ部１９はＴＶ（テレビジョン）機能やＦＭ（Ｆｒｅｑｕｅｎｃｙ  Ｍｏｄｕｌａｔｉｏｎ）ラジオ機能、及びインタネット閲覧機能を実現する。
【００２８】
図６は本発明の一実施例による折り畳み型の携帯情報端末装置１の形態変化の検出処理を示すフローチャートであり、図７及び図８は図１のＬＣＤ部１７の画面遷移を示す図である。これら図１〜図８を参照して本発明の一実施例による折り畳み型の携帯情報端末装置１の各形態での機能履歴の記憶動作について説明する。
【００２９】
まず、折り畳み型携帯情報端末装置１では、制御部１１が開閉検出部（Ａ）１２の検出結果から折り畳み型携帯情報端末装置本体２０をＬＣＤ部１７を内側にして閉じた状態（図２に示す向きに閉じた状態）であるかどうかを判定し（図６ステップＳ１）、ＬＣＤ部１７を内側にして閉じた状態であれば、「形態０」の状態とする（図６ステップＳ２）。
【００３０】
この「形態０」の状態で、例えば、サイドキー２１によって現在時刻の読上げ機能を動作させた場合、制御部１１は現在時刻の読上げ機能を「形態０」の機能履歴として機能履歴記憶部１６に記憶する。この場合、本実施例による折畳み型携帯情報端末装置１ではＬＣＤ部１７が見えないため、使用可能な機能が限定されてしまうが、機能履歴を有効にしていれば、無条件に「形態０」となった場合に機能履歴動作が起動されるものとする。
【００３１】
次に、形態０の状態からレシーバ側筐体２０ａを開くと、開閉検出部（Ａ）１２によってレシーバ側筐体２０ａが開かれたことが制御部１１に伝達される。この場合、制御部１１は回転検出部１４の検出結果から回転量が０°かどうかの判定を行い（図６ステップＳ３）、０°であれば、図３に示す「形態１」の状態とする（図６ステップＳ４）。
【００３２】
この「形態１」の状態で、例えば、アプリ部１９からメール送信の操作を行った場合、制御部１１はメール送信操作を形態１の機能履歴として機能履歴記憶部１６に記憶する。尚、各形態の初期状態ではデフォルトの優先機能を有しているものとし、使用した機能をデフォルトの機能から入れ替えを行うものとする。
【００３３】
上記の状態からレシーバ側筐体２０ａを１８０°回転させると、回転検出部１４によってレシーバ側筐体２０ａが１８０°回転したことが制御部１１に伝達される。この場合、制御部１１は回転検出部１４の検出結果から１８０°回転したかどうかを判定し（図６ステップＳ５）、１８０°回転していれば、図４に示す「形態２」の状態とする（図６ステップＳ６）。
【００３４】
この「形態２」の状態で、例えば、アプリ部１９からカメラ撮影の機能選択が行われた場合、制御部１１はカメラ撮影の機能選択動作を「形態２」での機能履歴として機能履歴記憶部１６に記憶する。ここで、図３にて回転検出部１４の０°、１８０°の検出動作に関しては、例えば位置を変えてリードスイッチを２個配置し、レシーバ側筐体２０ａの回転検出部１４に隣接する左右非対称な位置に磁石を用いれば、どちらのリードスイッチがＯＮしたかによって、０°もしくは１８０°の回転量を認識することが可能となる。
【００３５】
また、図３にてカメラ部を図示していないが、例えば、マイク側筐体２０ｂの背面等に設けられているものであり、カメラ撮影に関してレシーバ側筐体２０ａが回転０°の場合では風景や他の人物を撮影する通常モードとなり、１８０°回転させた場合では自分撮影用モードとなり、自分撮影等に使用する状態となるものである。
【００３６】
上記の１８０°回転させた状態からレシーバ側筐体２０ａを閉じると、開閉検出部（Ｂ）１３によってレシーバ側筐体２０ａが１８０°回転させた状態で閉じられたことが制御部１１に伝達される。この場合、制御部１１は開閉検出部（Ｂ）１３の検出結果からレシーバ側筐体２０ａが１８０°回転された状態で閉じられたかどうかを判定し（図６ステップＳ７）、レシーバ側筐体２０ａが閉じられると、図５に示す「形態３」の状態とする（図６ステップＳ８）。
【００３７】
この「形態３」の状態で、例えば、アプリ部１９からＴＶ機能の選択が行われた場合、制御部１１はＴＶ機能の選択動作を「形態３」での機能履歴として機能履歴記憶部１６に記憶する。
【００３８】
これによって、本実施例では、各形態に対応した機能履歴が機能履歴記憶部１６に記憶された状態となる。ここでは、各形態での機能履歴を１つの動作で説明しているが、例えば３つの動作まで記憶可能としたり、任意の履歴数を記憶可能とすることができるものとする。
【００３９】
次に、次回、上述した各「形態０〜３」となった場合の動作について説明する。まず、上述した例ではＬＣＤ部１７を内側にしてレシーバ側筐体２０ａを閉じると、開閉検出部（Ａ）１２からレシーバ側筐体２０ａが閉じたことが制御部１１に通知される。制御部１１は開閉検出部（Ａ）１２の検出結果から閉状態と判定し（図６ステップＳ１）、図２に示す「形態０」の状態であることを認識する（図６ステップＳ２）。この場合、制御部１１は機能履歴記憶部１６から「形態０」の機能履歴を読出し、現在時刻の読上げ機能を起動する。
【００４０】
次に、レシーバ側筐体２０ａを通常に開いた場合、制御部１１は回転検出部１４の検出結果からレシーバ側筐体２０ａの回転量が０°かどうかを判定し（図６ステップＳ３）、回転０°であれば、図３に示す形態１の状態なったことを認識する（図６ステップＳ４）。この場合、制御部１１は機能履歴記憶部１６から形態１の機能履歴を読出し、ソフトキー管理部１８によって機能履歴メニュー２４としてＬＣＤ部１７に表示するとともに、ソフトキー管理部１８にて機能履歴メニュー２４に該当機能をサイドキー２１に割り付ける。
【００４１】
具体的には、ＬＣＤ部１７の機能履歴メニュー２４の表示が、例えば、図７に示す表示となり、サイドキー２１に表示メニューに該当する機能が割り付けられる。この場合には、１番上が“メール”、２番目が“カメラ”、３番目が“発信”、４番目が“ＴＶ”となっている。１番上の“メール”は記憶動作で説明したもっとも最近に使用した機能となっており、さらにこの「形態１」で使用した２番目以降に古い機能もしくは使用していない場合にデフォルトの機能が表示されるものである。
【００４２】
ここで、具体的な例としては、先にこの「形態１」で使用したメール送信やカメラ撮影の機能を再度使用する場合、該当するサイドキー２１を一回押下することで、その該当する機能が即座に呼び出されることとなる。例えば、再度メール送信を行う場合であれば、一番上のメールに該当するサイドキー２１を押下することで、画面は図７に示す遷移状態となり、送信先を選択する画面に移行する。
【００４３】
さらに、ここでも、最も新しい送信先から順に画面に表示し（図７では「Ａさん」、「Ｂさん」、「Ｃさん」、「アドレス帳」の順番）、該当するサイドキー２１を再び押下することで、メールの送信先を選択することができる。
【００４４】
次に、レシーバ側筐体２０ａを１８０°回転させた場合、上記と同様に、制御部１１は回転検出部１４の検出結果からレシーバ側筐体２０ａが１８０°回転したかどうかを判定し（図６ステップＳ５）、１８０°回転していれば、図４に示す「形態２」の状態なったことを認識する（図６ステップＳ６）。この場合、制御部１１は機能履歴記憶部１６から「形態２」の機能履歴を読出し、カメラ機能が機能履歴としてＬＣＤ部１７の最上位に表示される。そして、再びカメラ撮影を行う場合には、該当のサイドキー２１を一回押下するだけで、カメラ機能を起動させることができる。
【００４５】
さらに、レシーバ側筐体２０ａを１８０°回転させた状態で閉じた場合、制御部１１は開閉検出部（Ｂ）１３の検出結果からレシーバ側筐体２０ａが閉じた状態かどうかを判定し（図６ステップＳ７）、レシーバ側筐体２０ａが閉じていれば、上記と同様に、図５に示す「形態３」の状態なったことを認識する（図６ステップＳ８）。この場合、制御部１１は機能履歴記憶部１６から「形態３」の機能履歴を読出し、ＴＶ機能がＬＣＤ部１７の最上位に機能履歴メニュー２４として表示され、図８に示す画面状態となる。
【００４６】
ここで、本実施例ではＬＣＤ部１７に操作キーを設けていないため、図７に示すＬＣＤ部１７の下に例示した“戻る”や“次候補”の表示を選択することができないため、その表示を行わないものとしている。
【００４７】
そして、再度ＴＶを見たい場合には、ＬＣＤ部１７の最上位に該当するサイドキー２１を押下することで、図８に示す遷移となり、例えば、前回８Ｃｈを見ていれば、８Ｃｈの放送受信を開始するが、チャネル（Ｃｈ）をすぐに変更する可能性があるので、本実施例では一定時間内であれば、３局までサイドキー２１を一回押下することで、チャネルを変えることができるようなメニュー表示例を示している。
【００４８】
さらに、一例としてチャネルが一旦確定した後では、さらに画面状態を遷移させ、チャネルの変更とボリューム（Ｖｏｌ）（音量）の設定とをサイドキー２１で操作可能とするものである。ここでチャネルの変更及びボリュームの設定表示はＴＶ視聴のじゃまになるので、一定時間後に消すのが望ましい。但し、表示が消えた後も、チャネルの変更とボリュームの設定とはサイドキー２１で操作可能となっているものとする。
【００４９】
尚、上記の形態毎の機能履歴機能としては、ユーザ自身が使用有無を設定することができる構成としてもよい。
【００５０】
このように、本実施例では、携帯情報端末装置１の各形態に応じて使用した最新の機能選択操作を機能履歴として機能履歴記憶部１６に記憶し、機能履歴メニュー２４としてＬＣＤ部１７に表示し、かつ対応した機能をサイドキー２１に割り付けるので、各形態で一度使用した機能をサイドキー２１で選択するだけ、つまり一回のボタン操作で、所望の機能を起動させることができる。
【００５１】
これによって、本実施例では、階層構造のメニューを順に選択していく煩雑なボタン操作を不要とし、もしくは機能の管理番号を記憶しておく必要もなく、各形態で最後に使用した機能から順に容易に呼び出すことができ、対応するサイドキー２１を一回押下するだけで、所望の機能（過去に使用した３つまでの機能）を瞬時に起動することができる。
【００５２】
尚、本発明は、機能履歴メニュー２４をサイドキー２１で選択した場合、すぐに該当する機能の動作を開始するのではなく、関連する機能ブロックメニューの表示にとどめても良い。具体的には、例えばカメラ撮影を行った場合も、機能履歴のメニュー表示をカメラ撮影、画像ビューア、カメラ機能の各種設定等として、すぐに撮影モードに移行しない構成としても良い。
【００５３】
また、本発明は、機能ブロック毎に履歴の機能そのものを実行するか、機能ブロックメニューの表示に留めるかをユーザが登録可能な構成としてもよい。
【００５４】
図９は本発明の他の実施例による折り畳み型携帯情報端末装置の構成を示すブロック図である。図９において、本発明の他の実施例による折り畳み型携帯情報端末装置３はタイマ部３１を新たに設けた以外は図１に示す本発明の一実施例による折り畳み型携帯情報端末装置１と同様の構成となっており、同一構成要素には同一符号を付してある。
【００５５】
本発明の一実施例では、「形態０」で無条件に最後の機能履歴を実行しているが、各形態の検出で制御部１１によってタイマ部３１を起動させ、例えば１秒経過後（この時間はユーザが設定可能な手段を設けるのが望ましい）、タイムアウトを制御部１１に通知することで、サイドキー２１で選択しない場合に、自動的に各形態別に最後に使用した機能、つまり機能履歴メニュー２４の最上位に該当する機能をそのまま開始する構成としてもよい。
【００５６】
また、その形態別に自動的に最後の機能を開始するか、機能履歴メニュー２４の表示に留めるかをユーザが設定できる手段を設けてもよい。具体的には、「形態３」で最後にＴＶ受信を行った場合に、形態３にすると、タイムアウトで自動的にＴＶの受信を開始することができる。
【００５７】
図１０は本発明の別の実施例によるレシーバ側筐体の構成例を示す図である。図１０において、本発明の別の実施例によるレシーバ側筐体では、レシーバ側筐体２０ａ上にファンクションキー４１を設けている。
【００５８】
本発明の一実施例では、サイドキー２１を使用してソフトキーの機能選択を行っているが、本実施例ではレシーバ側筐体２０ａ上のファンクションキー４１に対応するＬＣＤ部１７の下側に機能履歴メニュー２４を小さく表示する構成としている。
【００５９】
尚、本発明は、上記のサイドキー２１、ファンクションキー４１によるソフトキーの機能選択以外にも、操作部１５の操作キー部２２のテンキーにて番号を選択する構成としてもよい。この場合、機能履歴には番号を付加しておく必要がある。
【００６０】
また、本発明は、レシーバ側筐体２０ａの開閉や回転の途中の角度を形態のパターンとし、自動的に履歴操作の最新動作を起動させることで、より多くの機能を操作なしで起動させることもできる。この場合には、タイマ部３１のタイムアウトやメニューキー以外のボタン操作で動作を確定させることとしても良い。例えば、レシーバ側筐体２０ａの開閉の角度が５段階識別可能な構成である場合、各段階でＴＶ受信のチャネルを５局選択したとすると次回、各段階の形態とした場合に自動的に、各段階、つまりこの場合にはレシーバ側筐体２０ａの開閉の角度を変えることで受信チャネルを選択することも可能となる。
【００６１】
上記の説明では、レシーバ側筐体２０ａの開閉の角度とＴＶ受信機能のチャネル選択とについて説明したが、形態と動作との組み合わせはユーザの自由であり、それぞれのユーザのさまざまな嗜好に対応することが可能となる。
【００６２】
さらに、上記の説明では、レシーバ側筐体２０ａの開閉と回転との例を示し、実施例では回転検出部１４の検出手段の一例として、リードスイッチを用いる手段について述べたが、各形態の検出手段はその他にフォトセンサを用いる手段等、どのような検出手段でもよく、またスライドタイプの場合ではそのスライド量やフラップ型タイプの場合の開閉や、その他、例えば加速度センサ等の各種センサを有する装置ではそれらの条件をも形態のパターンとして使用可能である。
【００６３】
また、図３に示した回転検出部１４では９０°開いた状態での回転しか検出することができないが、図１１に示すように、背面回転検出部５１を新たに設けることで、レシーバ側筐体２０ａを１８０°開いた状態での回転検出をも行うことが可能となり、さらに形態のバリエーションを増やすことも可能である。
【産業上の利用可能性】
【００６４】
本発明は、上述したような各種形態（折り畳み型、スライド型、フラップ型等）の携帯電話機、ＰＤＡ（Ｐｅｒｓｏｎａｌ  Ｄｉｇｉｔａｌ  ａｓｓｉｓｔａｎｔ）、モバイル型のパーソナルコンピュータ等に適用可能である。
【図面の簡単な説明】
【００６５】
【図１】本発明の一実施例による折り畳み型の携帯情報端末装置の構成を示すブロック図である。
【図２】本発明の一実施例による折り畳み型の携帯情報端末装置の各形態を示す斜視図である。
【図３】本発明の一実施例による折り畳み型の携帯情報端末装置の各形態を示す斜視図である。
【図４】本発明の一実施例による折り畳み型の携帯情報端末装置の各形態を示す斜視図である。
【図５】本発明の一実施例による折り畳み型の携帯情報端末装置の各形態を示す斜視図である。
【図６】本発明の一実施例による折り畳み型の携帯情報端末装置の形態変化の検出処理を示すフローチャートである。
【図７】図１のＬＣＤ部の画面遷移を示す図である。
【図８】図１のＬＣＤ部の画面遷移を示す図である。
【図９】本発明の他の実施例による折り畳み型携帯情報端末装置の構成を示すブロック図である。
【図１０】本発明の別の実施例によるレシーバ側筐体の構成例を示す図である。
【図１１】本発明のさらに別の実施例による折り畳み型携帯情報端末装置の構成例を示す斜視図である。
【符号の説明】
【００６６】
１，３  折り畳み型の携帯情報端末装置
１１  制御部
１２  開閉検出部（Ａ）
１３  開閉検出部（Ｂ）
１４  回転検出部
１５  操作部
１６  機能履歴記憶部
１７  ＬＣＤ部
１８  ソフトキー管理部
１９  アプリ部
２０  折り畳み型携帯情報端末装置本体
２０ａ  レシーバ側筐体
２０ｂ  マイク側筐体
２１  サイドキー
２２  操作キー部
２３  ヒンジ部
２４  機能履歴メニュー
３１  タイマ部
４１  ファンクションキー
５１  背面回転検出部
【図１】
2006279627.tif 000003
【図２】
2006279627.tif 000004
【図３】
2006279627.tif 000005
【図４】
2006279627.tif 000006
【図５】
2006279627.tif 000007
【図６】
2006279627.tif 000008
【図７】
2006279627.tif 000009
【図８】
2006279627.tif 000010
【図９】
2006279627.tif 000011
【図１０】
2006279627.tif 000012
【図１１】
2006279627.tif 000013